(57)【要約】【課題】装置の小型化を図り、モード同期レーザーを構成するのに適したレーザー発振器を提供する。【解決手段】増幅媒体および出力部品から構成される共振器を有するレーザー発振器において、前記増幅媒体は、断面形状の外周が６個の円弧により構成される正六角形に近似した形状の単結晶ファイバーであり、前記増幅媒体に結合され、前記単結晶ファイバーの断面形状と相似のコアを有するフォトニック結晶ファイバーとを備えた。【選択図】図２
2015220375.tif 000002
【特許請求の範囲】
【請求項１】
増幅媒体および出力部品から構成される共振器を有するレーザー発振器において、
前記増幅媒体は、断面形状の外周が６個の円弧により構成される正六角形に近似した形状の単結晶ファイバーであり、
前記増幅媒体に結合され、前記単結晶ファイバーの断面形状と相似のコアを有するフォトニック結晶ファイバーと
を備えたことを特徴とするレーザー発振器。
【請求項２】
前記単結晶ファイバーは、Ｙｂ：ＹＡＧ単結晶、Ｎｄ：ＹＡＧ単結晶、Ｅｒ：ＹＡＧ単結晶、Ｔｍ：ＹＡＧ単結晶、またはＥｒサファイア単結晶のいずれかにより構成されることを特徴とする請求項１に記載のレーザー発振器。
【請求項３】
前記単結晶ファイバーは、最大直径１ｍｍ以下の同一断面が長手方向に連続する棒状であり、最大直径の５５％以上の曲率を持つ６個の円弧が、最大直径の５０％以下の曲率を持つ円弧でつなぎ合わされた断面形状を有することを特徴とする請求項２に記載のレーザー発振器。
【請求項４】
前記フォトニック結晶ファイバーは、厚さ１μｍ以下のガラス膜により構成され、長手方向に同一構造が連続する導波路であって、前記導波路のコアとして機能する６回対称の空孔が形成されていることを特徴とする請求項１、２または３に記載のレーザー発振器。
【請求項５】
前記フォトニック結晶ファイバーは、断面形状が２次元カゴメ格子であり、前記空孔は、正六角形７個と、これを囲む正三角形２４個分の格子が６回対称の空孔を形成し、該空孔に接する正六角形と、前記空孔が共有するガラス膜の断面とが円弧に置き換わることを特徴とする請求項４に記載のレーザー発振器。
【請求項６】
半導体レーザー、可飽和吸収体ミラーおよび分散補償ミラーをさらに備え、前記共振器の全体の群遅延分散値が負値になるように構成されていることを特徴とする請求項１ないし５のいずれかに記載のレーザー発振器。
【発明の詳細な説明】
【技術分野】
【０００１】
本発明は、レーザー発振器に関し、より詳細には、分光分析装置、高精度フェムト秒レーザー加工装置などに用いられるフェムト秒パルスレーザーを構成するレーザー発振器に関する。
【背景技術】
【０００２】
フェムト秒パルスレーザーは、数フェムト秒から数百フェムト秒という超短パルスを出力することができ、非常に短い時間における特定の化学反応の過程を観測する分光分析装置に適用される。また、フェムト秒パルスレーザーは、短時間にエネルギーを圧縮して発振し、ハイパワーの光を出力することから、半導体基板等の加工にも用いられる。
【０００３】
図１に、従来のフェムト秒パルスレーザーの構成を示す。レーザーの増幅媒体として、Ｙｂ：ＹＡＧ単結晶にアンドープＹＡＧ単結晶を接合した（長さ３ｍｍ）のバルクロッド１０１を用いて、空間光学系により構成したレーザー発振器である（例えば、非特許文献１参照）。半導体レーザー１０９から出力された励起光は、レンズ１１０を介して、球面鏡１０６および１０７の間にバルクロッド１０１が設置されたファブリーペロー共振器に入力される。ファブリーペロー共振器の片側には、可飽和吸収体ミラー１０２を設置し、反対側には、１％透過の出力鏡１０３を設置して、共振器を構成する。球面鏡１０７および出力鏡１０３の間に分散補償ミラー１０４および１０５を設置し、球面鏡１０６および可飽和吸収体ミラー１０２の間に球面鏡１０８を設置する。
【０００４】
Ｙｂ：ＹＡＧレーザーの発振波長域（１．０２〜１．０８μｍ）では、Ｙｂ：ＹＡＧ単結晶の群遅延分散は正の値であるが、分散補償ミラーの群遅延分散が負の値であるため、ファブリーペロー共振器全体での群遅延分散は負の値になる。半導体レーザー１０９（出力４．４Ｗ）の励起により、ファブリーペロー共振器内において可飽和吸収体ミラー１０２により生成したパルスレーザー光は、バルクロッド１０１内の自己位相変調とファブリーペロー共振器の負の分散により、ソリトンパルスとなって安定化する。例えば、非特許文献１によれば、中心波長１．０５μｍ、パルス幅１５０ｆｓ、繰り返し周波数２００ＭＨｚ、出力４３ｍＷのフェムト秒パルスレーザーが報告されている。
【先行技術文献】
【非特許文献】
【０００５】
【非特許文献１】S. Uemura and K. Torizuka, “Center-Wavelength-Shifted Passively Mode-Locked Diode-Pumped Ytterbium(Yb):Yttrium Aluminum Garnet(YAG) Laser,”Jpn. J. Appl. Phys. 44 (2005) L361.
【非特許文献２】M. J. F. Digonnet, C. J. Gaete, AND H. J. Shaw, “1.064μm and 1.32-μm Nd : YAG Single Crystal Fiber Lasers,” Journal of Lightwave Technology, Vol. LT-4, No. 4, p. 454-460 (1986).
【非特許文献３】Y. Y. Wang, Xiang Peng, M. Alharbi, C. Fourcade Dutin, T. D. Bradley, F. Gerome, Michael Mielke, Timothy Booth, and F. Benabid1, " Design and fabrication of hollow-core photonic crystal fibers for high-power ultrashort pulse transportation and pulse compression," Optics Letters Vol. 37, No. 15, p. 3111-3113 (2008).
【発明の概要】
【発明が解決しようとする課題】
【０００６】
しかしながら、上述したフェムト秒パルスレーザーは、ファブリーペロー共振器の光路長が７５ｃｍであり、すべて空間光学系により構成されていることから、レーザー発振器の小型化、例えば、ファブリーペロー共振器の大きさを３０×３０ｃｍ以下に設定することは困難であった。例えば、折り返しミラーを増設して、設置面積の低減を図ることも可能であるが、装置の複雑化、光路調整の難易度が増加してしまう。装置の小型化のため、設置面積を縮小したレーザー発振器の開発が望まれている。
【課題を解決するための手段】
【０００７】
本発明の目的は、装置の小型化を図り、モード同期レーザーを構成するのに適したレーザー発振器を提供することにある。
【０００８】
本発明は、このような目的を達成するために、一実施態様は、増幅媒体および出力部品から構成される共振器を有するレーザー発振器において、前記増幅媒体は、断面形状の外周が６個の円弧により構成される正六角形に近似した形状の単結晶ファイバーであり、前記増幅媒体に結合され、前記単結晶ファイバーの断面形状と相似のコアを有するフォトニック結晶ファイバーとを備えたことを特徴とする。
【０００９】
前記フォトニック結晶ファイバーは、厚さ１μｍ以下のガラス膜により構成され、長手方向に同一構造が連続する導波路であって、前記導波路のコアとして機能する６回対称の空孔が形成されている。前記フォトニック結晶ファイバーは、断面形状を２次元カゴメ格子とすることもできる。
【発明の効果】
【００１０】
本発明によれば、従来、空間光路により形成されていた共振器の一部を、可撓性のあるフォトニック結晶ファイバーに置き換えたため、装置の小型化を達成することができる。
【００１１】
本発明のレーザー発振器の増幅媒体は、単結晶ファイバーからなる導波路であり、正六角形に近い形状をしている。フォトニック結晶ファイバーは、導波路のコアとして機能する６回対称の空孔を有し、両ファイバーを高効率に光結合することができる。
【００１２】
フォトニック結晶ファイバーは、コアが空孔であるため、非線形光学効果は極めて低い。また、フォトニック結晶ファイバーは、発振光のエネルギーの大部分が空孔部分を導波するため、群遅延分散の波長依存性が平坦である。従って、モード同期レーザーを構成する上で好適である。
【図面の簡単な説明】
【００１３】
【図１】従来のフェムト秒パルスレーザーの構成を示す図である。
【図２】本発明の一実施形態にかかるレーザー発振器の構成を示す図である。
【図３】本発明の一実施形態にかかるＹｂ：ＹＡＧ単結晶ファイバーを示す断面図である。
【図４】本発明の一実施形態にかかるカゴメ格子フォトニック結晶ファイバーの端面を示す図である。
【発明を実施するための形態】
【００１４】
以下、図面を参照しながら本発明の実施形態について詳細に説明する。
【００１５】
図２に、本発明の一実施形態にかかるレーザー発振器の構成を示す。レーザーの増幅媒体として、Ｙｂ：ＹＡＧ単結晶ファイバー２０１を用いて、導波路と空間光学系により構成したレーザー発振器である。半導体レーザー２０９から出力された励起光は、レンズ２１０を介して、平面鏡２０８および球面鏡２０６の間にＹｂ：ＹＡＧ単結晶ファイバー２０１が設置されたファブリーペロー共振器に入力される。ファブリーペロー共振器の片側には、可飽和吸収体ミラー２０２を設置し、反対側には、１％透過の出力鏡２０３を設置して、共振器を構成する。球面鏡２０６および出力鏡２０３の間に分散補償ミラー２０５およびカゴメ格子フォトニック結晶ファイバー２０４を設置し、平面鏡２０８および可飽和吸収体ミラー２０２の間に球面鏡２０７を設置する。
【００１６】
図３に、本発明の一実施形態にかかるＹｂ：ＹＡＧ単結晶ファイバーを示す。Ｙｂ：ＹＡＧ単結晶ファイバー２０１は、直径１２０μｍ、長さ２０ｍｍであり、両端面には、発振波長に対して無反射コートが付されている（例えば、非特許文献２参照）。単結晶材料の成長方位が［１１１］方位であり、ファイバーの断面形状は円形ではなく丸みを帯びた正六角形、すなわち断面形状の外周が６個の円弧により構成されている。
【００１７】
図２に示したように、ファイバーの側面に１μｍ厚のＳｉＯ２膜クラッドを形成して、Ｙｂ：ＹＡＧ単結晶ファイバー２０１としている。ファイバーは、励起光に対しても、発振光に対しても導波路として機能する。導波する基本横モードのモード形状は、断面形状を反映して、正六角形に近似した形状をしている。従来のフェムト秒パルスレーザーのように、バルク結晶を増幅媒体とすると、温度変化によって光軸ずれが懸念されるが、本実施形態の単結晶ファイバーは、光軸ずれはわずかである。
【００１８】
本実施形態のレーザー発振器の増幅媒体として、［１１１］方位へ成長させたＮｄ：ＹＡＧ単結晶ファイバー、Ｅｒ：ＹＡＧ単結晶ファイバー、Ｔｍ：ＹＡＧ単結晶ファイバーを用いることもできる。また、ｃ軸方位に成長させたＥｒサファイア単結晶ファイバーなど、断面が六角形に類似した形状の単結晶ファイバーを適用することもできる。
【００１９】
これら単結晶ファイバーは、直径（図３のｄ）が１ｍｍ程度より大きい場合、通過しうる空間光が導波光に比べて平均モード半径が小さくなり、導波路として機能しない場合がある。従って、増幅媒体は、最大直径１ｍｍ以下の同一断面が長手方向に連続する棒状の単結晶ファイバーであることが望ましい。
【００２０】
また、上述した単結晶ファイバーは、成長条件によっては六角形に類似した形状を取らないことがある。本実施形態のＹｂ：ＹＡＧ単結晶ファイバーを、通常のプロセスで製造すると、その断面形状は、数値的に表現すると、最大直径の５５％以上の曲率を持つ６個の円弧（図３のａ１〜ａ６）が、最大直径の５０％以下の曲率を持つ円弧でつなぎ合わされた断面形状となる。この断面形状の数値表現は、最大直径の５０％の曲率を持つ６個の円弧をつなぎ合わせれば円形であることを念頭に置けば、正六角形に近似した形状であることが容易に理解できる。少なくとも本実施形態で用いる単結晶ファイバーの断面形状は、外周が６個の円弧により構成され、上記の数値条件を満たす正六角形に近似した形状が望ましい。
【００２１】
図４に、本発明の一実施形態にかかるカゴメ格子フォトニック結晶ファイバーの端面を示す。カゴメ格子フォトニック結晶ファイバー２０４は、Ｙｂ：ＹＡＧ単結晶ファイバー２０１（増幅媒体）と出力鏡２０３との間の光路に配置され、長さは１ｍである。カゴメ格子フォトニック結晶ファイバー２０４の断面は、７セル内転サイクロイド形状と呼ばれるコア構造を有している（例えば、非特許文献３参照）。カゴメ格子フォトニック結晶ファイバー２０４は、厚さ０．３５μｍの薄い石英ガラス膜により構成され、断面形状が２次元カゴメ格子であり、ファイバーの長手方向に同一構造が連続することによって導波路が形成されている。２次元カゴメ格子の中心に正六角形７個と、これを囲む正三角形２４個分の格子が６回対称の空孔を形成し、導波路のコアとして機能する。この空孔に接する正六角形と、空孔が共有するガラス膜の断面とが円弧に置き換わり、ここに導波光の強度が集中する。カゴメ格子の間隔は２３μｍ以下であり、コアの最大直径は７９μｍ以下である。２次元カゴメ格子は、外径３００μｍのガラスキャピラリーの内側に形成されており、全体の断面形状は、通常のガラスファイバーと同様の外部形状になる。
【００２２】
図４に示したように、カゴメ格子フォトニック結晶ファイバー２０４は、図３に示したＹｂ：ＹＡＧ単結晶ファイバー２０１の断面形状と相似のコアを有するので、カゴメ格子フォトニック結晶ファイバー２０４の導波光のニアフィールドパターンと、Ｙｂ：ＹＡＧ単結晶ファイバー２０１の基本導波モードのニアフィールドパターンとは相似となる。従って、球面鏡２０６と分散補償ミラー２０５とによりモードサイズを変換することによって、両ファイバーを高効率に光結合することができる。レーザーの増幅媒体における熱レンズ効果により、出射光が球面鏡で反射した際の焦点位置が変動すると考えられる。本実施形態のカゴメ格子フォトニック結晶ファイバーでは、コア径が大きいため、焦点でのレイリー距離より位置ずれ量が充分小さく、光結合への影響は無視できる。
【００２３】
Ｙｂ：ＹＡＧ単結晶ファイバー２０１から球面鏡２０６とは反対方向に出射した光は、４５°反射の平面鏡２０８を介して、球面鏡２０７により可飽和吸収体ミラー２０２に集光される。カゴメ格子フォトニック結晶ファイバー２０４の端面に出力鏡２０３を形成し、出力鏡２０３と可飽和吸収体ミラー２０２との間で共振器を構成する。上述したように、Ｙｂ：ＹＡＧ単結晶ファイバー２０１とカゴメ格子フォトニック結晶ファイバー２０４の結合効率を充分大きく設定できるので、レーザー発振器として実用に充分な低しきい値動作を実現することができる。
【００２４】
カゴメ格子フォトニック結晶ファイバー２０４の群遅延分散は、発振波長付近で負であり、波長に対し比較的平坦であるから、これと併せて共振器の３次分散を補償するように、分散補償ミラー２０５を設計することが容易にできる。これらを使用して、共振器全体でおおむね一定の負の群遅延分散値とする。
【００２５】
カゴメ格子フォトニック結晶ファイバー２０４は、コアが空孔であるため、通常の石英ガラスコアファイバーに比べ非線形光学効果は極めて低い。長さ１ｍのファイバーを共振器内に使用しても、発振光パルスに変形を引き起こす非線形光学効果は、空間光学系と比較して大きな差はない。
【００２６】
なお、カゴメ格子フォトニック結晶ファイバーとして、７セル内転サイクロイド形状のみならず、他の種類の６回対称のコアを有するフォトニック結晶ファイバーも利用可能である。フォトニック結晶ファイバーの格子を形成するガラス膜の厚さは、１μｍ以下が望ましい。ガラス膜が１μｍより厚い場合、膜内に導波モードが生じる可能性があるからである。
【００２７】
高出力の半導体レーザー２１０（波長０．９７μｍ、出力１７Ｗ）は、ビームが発散的であり、空間中では、長さ２０ｍｍよりも大幅に短い距離で、ファイバー径より大きく拡散する。しかし、本実施形態のように、Ｙｂ：ＹＡＧ単結晶ファイバー２０１の端面に合わせて集光すると、ファイバー内ではクラッド構造により導波されるため、Ｙｂ：ＹＡＧ単結晶ファイバー２０１の全長に渡って拡散せず、発振光との重なりが良好である。そのため、半導体レーザー２０９の励起光を効率的に利用できる。半導体レーザー２０９から出力された励起光は、Ｙｂ：ＹＡＧ単結晶ファイバー２０１の端面のサイズに合わせて集光するため、レンズ２１０の焦点距離は比較的短く３６ｍｍである。しかし、平面鏡２０８により、発振光の光路を折り曲げてあるため、Ｙｂ：ＹＡＧ単結晶ファイバー２０１の端面にレンズ２０９を近接することができる。
【００２８】
なお、本実施形態では、ファブリーペロー共振器を例に説明したが、リング共振器にも適用可能である。また、出力部品としての出力鏡を光カプラーとしたり、可飽和吸収体ミラーを透過型の可飽和吸収体とすることもでき、レーザー発振器の構成は、上記の実施形態に限られない。
【００２９】
本実施形態のレーザー発振器をフェムト秒パルスレーザーとして使用すると、中心波長１．０５μｍ、パルス幅１５０ｆｓ、繰り返し周波数２００ＭＨｚ、出力４３ｍＷでの発振が可能であり、従来例と同等以上の性能を発揮することができる。従来例の共振器が空間光路により形成されていたのに対して、本実施形態では、可撓性のあるフォトニック結晶ファイバーを用いるため、設置面積の縮小が可能になった。本実施形態のレーザー発振器の設置面積は、半導体レーザーを含めて２０ｃｍ×２０ｃｍ以下の大きさである。従来例では、半導体レーザーを除いて３０ｃｍ×３０ｃｍ以上を必要としたことから、大幅に縮小されたことがわかる。
【符号の説明】
【００３０】
１０１  バルクロッド（Ｙｂ：ＹＡＧ単結晶）
１０２，２０２  可飽和吸収体ミラー
１０３，２０３  出力鏡
１０４，１０５，２０５  分散補償ミラー
１０６〜１０８，２０６，２０７  球面鏡
１０９，２０９  半導体レーザー
１１０，２１０  レンズ
２０１  Ｙｂ：ＹＡＧ単結晶ファイバー
２０４  カゴメ格子フォトニック結晶ファイバー
２０８  平面鏡
【図１】
2015220375.tif 000003
【図２】
2015220375.tif 000004
【図３】
2015220375.tif 000005
【図４】
2015220375.tif 000006